(57)【要約】【課題】再生端末から要求のあった部分指定した映像を配信することを可能とする。【解決手段】前記配信サーバには、見たい領域を選択するためのナビゲーション符号化映像データと選択した領域を再生するためのメイン符号化映像データが１つの符号化映像データとして蓄積されており、前記再生端末が、ストリーム再生中のナビゲーション映像から視聴したい領域を選択し、この選択した領域に対応するメイン符号化映像データの配信要求と、ナビゲーション符号化映像データの配信要求とを、ＲＴＳＰプロトコルの拡張ＰＬＡＹメソッドで配信サーバへ要求し、前記配信サーバが、拡張ＰＬＡＹメソッドで要求された領域のメイン符号化映像データと、ナビゲーション符号化映像データを読み出し、読み出した要求された領域のメイン符号化映像データと、ナビゲーション符号化映像データを１つの符号化映像データにして再生端末へ配信する。【選択図】図１
2011035687.tif 000002
【特許請求の範囲】
【請求項１】
再生端末と、配信サーバとがネットワークを介して接続される映像配信システムにおける部分指定映像配信要求方法であって、
前記配信サーバには、見たい領域を選択するためのナビゲーション符号化映像データと選択した領域を再生するためのメイン符号化映像データが１つの符号化映像データとして蓄積されており、
前記再生端末が、ストリーム再生中のナビゲーション映像から視聴したい領域を選択し、この選択した領域に対応するメイン符号化映像データの配信要求と、ナビゲーション符号化映像データの配信要求とを、ＲＴＳＰプロトコルの拡張ＰＬＡＹメソッドで配信サーバへ要求するステップと、
前記配信サーバが、拡張ＰＬＡＹメソッドで要求された領域のメイン符号化映像データと、ナビゲーション符号化映像データを読み出し、読み出した要求された領域のメイン符号化映像データと、ナビゲーション符号化映像データを１つの符号化映像データにして再生端末へ配信するステップとを有することを特徴とする部分指定映像配信要求方法。
【請求項２】
再生端末と、配信サーバとがネットワークを介して接続される映像配信システムにおけるナビゲーション映像配信要求方法であって、
前記配信サーバは、受信部と、要求内容解析部と、再生データ保存部と、送信部とを有し、
前記再生端末は、受信部と、再生制御部と、送信部と、復号部と、表示部とを有し、
前記再生端末の再生制御部が、前記再生端末の受信部からＳＥＴＵＰメソッド受け取り通知を受け取り、前記配信サーバに対する、ナビゲーション符号化映像データ情報が記載されている拡張ＰＬＡＹメソッドの送信要求を前記再生端末の送信部へ送るステップと、
前記再生端末の送信部が、前記再生制御部から受け取った拡張ＰＬＡＹメソッドを前記ネットワークを介してＲＴＳＰプロトコルで、前記配信サーバへ送信するステップと、
前記配信サーバの受信部が、前記ネットワークを介して前記再生端末から拡張ＰＬＡＹメソッドを受け取り、当該受け取った拡張ＰＬＡＹメソッドを前記配信サーバの要求内容解析部へ送るステップと、
前記配信サーバの要求内容解析部が、前記受信部から拡張ＰＬＡＹメソッドを受け取り、拡張ＰＬＡＹメソッドから符号化映像データ配信要求と判断し、前記配信サーバの再生データ保存部へ拡張ＰＬＡＹメソッドに記載されている情報と一緒に符号化映像データ配信要求を送るステップと、
前記配信サーバの再生データ保存部が、前記要求内容解析部から符号化映像データ配信要求と拡張ＰＬＡＹメソッドに記載されている情報を受け取り、前記要求内容解析部から受け取った情報を元にナビゲーション符号化映像データを読み出し、ナビゲーション符号化映像データを前記配信サーバの送信部へ送るステップと、
前記配信サーバの送信部が、前記再生データ保存部から受け取ったナビゲーション符号化映像データを前記ネットワークを介して前記再生端末へ送信するステップと、
前記再生端末の受信部が、前記配信サーバから送信されたナビゲーション符号化映像データを前記ネットワークを介して受け取り、当該受け取ったナビゲーション符号化映像データを前記再生端末の復号部へ送るステップと、
前記再生端末の復号部が、前記受信部から受け取ったナビゲーション符号化映像データの復号化を開始し、復号化したナビゲーション映像を前記再生端末の表示部へ送るステップと、
前記再生端末の表示部が、前記復号部からナビゲーション映像を受け取り、ナビゲーション映像のストリーム再生を開始するステップとを有することを特徴とするナビゲーション映像配信要求方法。
【請求項３】
再生端末と、配信サーバとがネットワークを介して接続される映像配信システムにおける部分指定映像配信要求方法であって、
前記配信サーバは、受信部と、要求内容解析部と、再生データ保存部と、送信部とを有し、
前記再生端末は、再生要求部と、受信部と、再生制御部と、送信部と、復号部と、表示部とを有し、
前記再生端末の表示部が、ストリーム再生中のナビゲーション映像から全体または部分的に見たい領域を選択した注視領域情報を前記再生端末の再生要求部に送るステップと、
前記再生端末の再生要求部が、前記表示部から受け取った注視領域情報を前記再生端末の再生制御部へ送るステップと、
前記再生端末の再生制御部が、前記再生要求部から注視領域情報を受け取り、注視領域情報を前記再生端末の復号部へ送るステップと、
前記再生端末の再生制御部が、前記再生要求部から注視領域情報を受け取り、前記配信サーバに対する、注視領域情報が記載されている拡張ＰＬＡＹメソッドの送信要求を前記再生端末の送信部へ送るステップと、
前記再生端末の送信部が、前記再生制御部から受け取った拡張ＰＬＡＹメソッドを前記ネットワークを介してＲＴＳＰプロトコルで、前記配信サーバへ送信するステップと、
前記配信サーバの受信部が、前記ネットワークを介して前記再生端末から拡張ＰＬＡＹメソッドを受け取り、当該受け取った拡張ＰＬＡＹメソッドを前記配信サーバの要求内容解析部へ送るステップと、
前記配信サーバの要求内容解析部が、前記受信部から拡張ＰＬＡＹメソッドを受け取り、拡張ＰＬＡＹメソッドから符号化映像データ配信要求と判断し、前記配信サーバの再生データ保存部へ拡張ＰＬＡＹメソッドに記載されている情報と一緒に符号化映像データ配信要求を送るステップと、
前記配信サーバの再生データ保存部が、前記要求内容解析部から符号化映像データ配信要求と拡張ＰＬＡＹメソッドに記載されている情報を受け取り、前記要求内容解析部から受け取った情報を元に指定された領域のメイン符号化映像データと、さらにナビゲーション符号化映像データを読み出し、さらに、１つの符号化映像データにして配信サーバ送信部へ送るステップと、
前記配信サーバの送信部が、前記再生データ保存部から受け取った符号化映像データを前記ネットワークを介して前記再生端末へ送信するステップと、
前記再生端末の受信部が、前記配信サーバから送信された符号化映像データを前記ネットワークを介して受け取り、当該受け取った符号化映像データを前記再生端末の復号部へ送るステップと、
前記再生端末の復号部が、前記受信部から受け取った符号化映像データのナビゲーション符号化映像データと指定した領域のメイン符号化映像データの復号化を並列して開始し、復号化したナビゲーション映像と、復号化したメイン映像から注視領域情報「Ｘ，Ｙ，高さ、幅」の範囲を切り出し、前記再生端末の表示部へ送るテップと、
前記再生端末の表示部が、前記復号部からナビゲーション映像と切り出した注視領域映像とを受け取り、ナビゲーション映像、切り出した注視領域映像をストリーム再生するステップとを有することを特徴とする部分指定映像配信要求方法。
【請求項４】
再生端末と、配信サーバとがネットワークを介して接続される映像配信システムにおける部分指定映像配信要求方法であって、
ＲＴＳＰプロトコルのＰＬＡＹメソッドを拡張し、拡張した“Ｘ−ＶｉｅｗＩＤ：”の｛ビュー指定｝に選択した領域のメイン符号化映像データ情報、ナビゲーション符号化映像データ情報、メイン符号化映像データ識別情報、ナビゲーション符号化映像データ識別情報を記載し、
選択した領域のメイン符号化映像データとナビゲーション符号化映像データの配信要求を前記再生端末から前記ネットワークを介して前記配信サーバへ要求することを特徴とする部分指定映像配信要求方法。
【請求項５】
再生端末と、配信サーバとがネットワークを介して接続される映像配信システムにおけるナビゲーション映像配信要求方法であって、
ＲＴＳＰプロトコルのＰＬＡＹメソッドを拡張し、拡張した“Ｘ−ＶｉｅｗＩＤ：”の｛ビュー指定｝にナビゲーション符号化映像データ情報、メイン符号化映像データ識別情報、ナビゲーション符号化映像データ識別情報を記載し、
ナビゲーション符号化映像データの配信要求を前記再生端末から前記ネットワークを介して前記配信サーバへ要求することを特徴とするナビゲーション映像配信要求方法。
【請求項６】
再生端末と、配信サーバとがネットワークを介して接続される映像配信システムにおける注視領域映像再生方法であって、
前記再生端末が、前記配信サーバから受け取ったメイン符号化映像データを復号し、当該復号化したメイン映像から注視領域情報の「Ｘ，Ｙ，高さ、幅」に対応する部分を切り出して、切り出した注視領域映像を再生することを特徴とする注視領域映像再生方法。
【請求項７】
再生端末と、配信サーバとがネットワークを介して接続される映像配信システムであって、
前記配信サーバは、受信部と、要求内容解析部と、再生データ保存部と、送信部とを有し、
前記再生端末は、受信部と、再生制御部と、送信部と、復号部と、表示部とを有し、
前記配信サーバの受信部は、前記ネットワークを介して前記再生端末から拡張ＰＬＡＹメソッドを受け取り、当該受け取った拡張ＰＬＡＹメソッドを前記配信サーバの要求内容解析部へ送り、
前記配信サーバの要求内容解析部は、前記受信部から拡張ＰＬＡＹメソッドを受け取り、拡張ＰＬＡＹメソッドから符号化映像データ配信要求と判断し、前記配信サーバの再生データ保存部へ拡張ＰＬＡＹメソッドに記載されている情報と一緒に符号化映像データ配信要求を送り、
前記配信サーバの再生データ保存部は、前記要求内容解析部から符号化映像データ配信要求と拡張ＰＬＡＹメソッドに記載されている情報を受け取り、前記要求内容解析部から受け取った情報を元にナビゲーション符号化映像データを読み出し、ナビゲーション符号化映像データを前記配信サーバの送信部へ送り、
前記配信サーバの送信部は、前記再生データ保存部から受け取ったナビゲーション符号化映像データを前記ネットワークを介して前記再生端末へ送信し、
前記再生端末の再生制御部は、前記再生端末の受信部からＳＥＴＵＰメソッド受け取り通知を受け取り、前記配信サーバに対する、ナビゲーション符号化映像データ情報が記載されている拡張ＰＬＡＹメソッドの送信要求を前記再生端末の送信部へ送り、
前記再生端末の送信部は、前記再生制御部から受け取った拡張ＰＬＡＹメソッドを前記ネットワークを介してＲＴＳＰプロトコルで、前記配信サーバへ送信し、
前記再生端末の受信部は、前記配信サーバから送信されたナビゲーション符号化映像データを前記ネットワークを介して受け取り、当該受け取ったナビゲーション符号化映像データを前記再生端末の復号部へ送り、
前記再生端末の復号部は、前記受信部から受け取ったナビゲーション符号化映像データの復号化を開始し、復号化したナビゲーション映像を前記再生端末の表示部へ送り、
前記再生端末の表示部は、前記復号部からナビゲーション映像を受け取り、ナビゲーション映像のストリーム再生を開始することを特徴とする映像配信システム。
【請求項８】
再生端末と、配信サーバとがネットワークを介して接続される映像配信システムであって、
前記配信サーバは、受信部と、要求内容解析部と、再生データ保存部と、送信部とを有し、
前記再生端末は、再生要求部と、受信部と、再生制御部と、送信部と、復号部と、表示部とを有し、
前記配信サーバの受信部は、前記ネットワークを介して前記再生端末から拡張ＰＬＡＹメソッドを受け取り、当該受け取った拡張ＰＬＡＹメソッドを前記配信サーバの要求内容解析部へ送り、
前記配信サーバの要求内容解析部は、前記受信部から拡張ＰＬＡＹメソッドを受け取り、拡張ＰＬＡＹメソッドから符号化映像データ配信要求と判断し、前記配信サーバの再生データ保存部へ拡張ＰＬＡＹメソッドに記載されている情報と一緒に符号化映像データ配信要求を送り、
前記配信サーバの再生データ保存部は、前記要求内容解析部から符号化映像データ配信要求と拡張ＰＬＡＹメソッドに記載されている情報を受け取り、前記要求内容解析部から受け取った情報を元に指定された領域のメイン符号化映像データと、さらにナビゲーション符号化映像データを読み出し、さらに、１つの符号化映像データにして配信サーバ送信部へ送り、
前記配信サーバの送信部は、前記再生データ保存部から受け取った符号化映像データを前記ネットワークを介して前記再生端末へ送信し、
前記再生端末の再生要求部は、前記再生端末の表示部から受け取った注視領域情報を前記再生端末の再生制御部へ送り、
前記再生端末の再生制御部は、前記再生要求部から注視領域情報を受け取り、注視領域情報を前記再生端末の復号部へ送るとともに、前記配信サーバに対する、注視領域情報が記載されている拡張ＰＬＡＹメソッドの送信要求を前記再生端末の送信部へ送り、
前記再生端末の送信部は、前記再生制御部から受け取った拡張ＰＬＡＹメソッドを前記ネットワークを介してＲＴＳＰプロトコルで、前記配信サーバへ送信し、
前記再生端末の受信部は、前記配信サーバから送信された符号化映像データを前記ネットワークを介して受け取り、当該受け取った符号化映像データを前記再生端末の復号部へ送り、
前記再生端末の復号部は、前記受信部から受け取った符号化映像データのナビゲーション符号化映像データと指定した領域のメイン符号化映像データの復号化を並列して開始し、復号化したナビゲーション映像と、復号化したメイン映像から注視領域情報「Ｘ，Ｙ，高さ、幅」の範囲を切り出し、前記再生端末の表示部へ送り、
前記再生端末の表示部は、前記復号部からナビゲーション映像と切り出した注視領域映像とを受け取り、ナビゲーション映像、切り出した注視領域映像をストリーム再生するとともに、ストリーム再生中のナビゲーション映像から全体または部分的に見たい領域を選択した注視領域情報を前記再生端末の再生要求部に送ることを特徴とする映像配信システム。
【請求項９】
再生端末と、配信サーバとがネットワークを介して接続される映像配信システムであって、
前記再生端末は、ＲＴＳＰプロトコルのＰＬＡＹメソッドを拡張し、拡張した“Ｘ−ＶｉｅｗＩＤ：”の｛ビュー指定｝に選択した領域のメイン符号化映像データ情報、ナビゲーション符号化映像データ情報、メイン符号化映像データ識別情報、ナビゲーション符号化映像データ識別情報を記載し、選択した領域のメイン符号化映像データとナビゲーション符号化映像データの配信要求を、前記ネットワークを介して前記配信サーバへ要求することを特徴とする映像配信システム。
【請求項１０】
再生端末と、配信サーバとがネットワークを介して接続される映像配信システムであって、
前記再生端末は、ＲＴＳＰプロトコルのＰＬＡＹメソッドを拡張し、拡張した“Ｘ−ＶｉｅｗＩＤ：”の｛ビュー指定｝にナビゲーション符号化映像データ情報、メイン符号化映像データ識別情報、ナビゲーション符号化映像データ識別情報を記載し、ナビゲーション符号化映像データの配信要求を、前記ネットワークを介して前記配信サーバへ要求することを特徴とする映像配信システム。
【請求項１１】
再生端末と、配信サーバとがネットワークを介して接続される映像配信システムであって、
前記再生端末は、前記配信サーバから受け取ったメイン符号化映像データを復号し、当該復号化したメイン映像から注視領域情報の「Ｘ，Ｙ，高さ、幅」に対応する部分を切り出して、切り出した注視領域映像を再生することを特徴とする映像配信システム。
【請求項１２】
請求項１または請求項３または請求項４に記載の部分指定映像配信要求方法における再生端末の処理をコンピュータに実行させるためのプログラム。
【請求項１３】
請求項２または請求項５に記載のナビゲーション映像配信要求方法における再生端末の処理をコンピュータに実行させるためのプログラム。
【請求項１４】
請求項６に記載の注視領域映像再生方法をコンピュータに実行させるためのプログラム。
【発明の詳細な説明】
【技術分野】
【０００１】
本発明は、部分指定映像配信要求方法、ナビゲーション映像配信要求方法、注視領域映像再生方法、映像配信システムおよびプログラムに係わり、特に、再生端末から要求した部分指定した映像を配信するための技術に関する。
【背景技術】
【０００２】
一般的に、ストリーミング配信には標準化技術であるＲＴＳＰ（Real Time Streaming Protocol）を使用しており、映像配信要求にはＲＴＳＰプロトコルのＰＬＡＹメソッドで行っている。しかし、ＰＬＡＹメソッドは映像全体の配信要求であり、映像の部分配信には対応していない。
また、映像配信装置において、各カメラから受信した映像をフレーム単位で合成し、各ユーザ端末は、カメラの一つを指定するためのカメラ識別情報と、該カメラにより撮像された全周囲映像の一部分を指定するための範囲指定情報含む送信要求をネットワークを介して映像配信装置に送信し、映像配信装置は、カメラ識別情報で指定されたカメラから受信した映像から、範囲指定情報に基づいてその一部分を切り出して、送信要求元のユーザ端末に送信する方法が知られている。（下記、特許文献１参照）
【先行技術文献】
【特許文献】
【０００３】
【特許文献１】特開２００３−２１９３８９号報
【発明の概要】
【発明が解決しようとする課題】
【０００４】
前述したように、従来の映像配信システムでは、再生端末から要求のあった部分指定した映像を配信することができなかった。
本発明は、前記従来技術の問題点を解決するためになされたものであり、本発明の目的は、再生端末から要求のあった部分指定した映像を配信することが可能となる部分指定映像配信要求方法、ナビゲーション映像配信要求方法、注視領域映像再生方法、および映像配信システムを提供することにある。
また、本発明の他の目的は、本発明の部分指定映像配信要求方法、ナビゲーション映像配信要求方法、注視領域映像再生方法をコンピュータに実行させるためのプログラムを提供することにある。
本発明の前記ならびにその他の目的と新規な特徴は、本明細書の記述及び添付図面によって明らかにする。
【課題を解決するための手段】
【０００５】
本願において開示される発明のうち、代表的なものの概要を簡単に説明すれば、下記の通りである。
（１）再生端末と、配信サーバとがネットワークを介して接続される映像配信システムにおける部分指定映像配信要求方法であって、前記配信サーバには、見たい領域を選択するためのナビゲーション符号化映像データと選択した領域を再生するためのメイン符号化映像データが１つの符号化映像データとして蓄積されており、前記再生端末が、ストリーム再生中のナビゲーション映像から視聴したい領域を選択し、この選択した領域に対応するメイン符号化映像データの配信要求と、ナビゲーション符号化映像データの配信要求とを、ＲＴＳＰプロトコルの拡張ＰＬＡＹメソッドで配信サーバへ要求するステップと、前記配信サーバが、拡張ＰＬＡＹメソッドで要求された領域のメイン符号化映像データと、ナビゲーション符号化映像データを読み出し、読み出した要求された領域のメイン符号化映像データと、ナビゲーション符号化映像データを１つの符号化映像データにして再生端末へ配信するステップとを有することを特徴とする。
【０００６】
（２）再生端末と、配信サーバとがネットワークを介して接続される映像配信システムにおけるナビゲーション映像配信要求方法であって、前記再生端末の再生制御部が、前記再生端末の受信部からＳＥＴＵＰメソッド受け取り通知を受け取り、前記配信サーバに対する、ナビゲーション符号化映像データ情報が記載されている拡張ＰＬＡＹメソッドの送信要求を前記再生端末の送信部へ送るステップと、前記再生端末の送信部が、前記再生制御部から受け取った拡張ＰＬＡＹメソッドを前記ネットワークを介してＲＴＳＰプロトコルで、前記配信サーバへ送信するステップと、前記配信サーバの受信部が、前記ネットワークを介して前記再生端末から拡張ＰＬＡＹメソッドを受け取り、当該受け取った拡張ＰＬＡＹメソッドを前記配信サーバの要求内容解析部へ送るステップと、前記配信サーバの要求内容解析部が、前記受信部から拡張ＰＬＡＹメソッドを受け取り、拡張ＰＬＡＹメソッドから符号化映像データ配信要求と判断し、前記配信サーバの再生データ保存部へ拡張ＰＬＡＹメソッドに記載されている情報と一緒に符号化映像データ配信要求を送るステップと、前記配信サーバの再生データ保存部が、前記要求内容解析部から符号化映像データ配信要求と拡張ＰＬＡＹメソッドに記載されている情報を受け取り、前記要求内容解析部から受け取った情報を元にナビゲーション符号化映像データを読み出し、ナビゲーション符号化映像データを前記配信サーバの送信部へ送るステップと、前記配信サーバの送信部が、前記再生データ保存部から受け取ったナビゲーション符号化映像データを前記ネットワークを介して前記再生端末へ送信するステップと、前記再生端末の受信部が、前記配信サーバから送信されたナビゲーション符号化映像データを前記ネットワークを介して受け取り、当該受け取ったナビゲーション符号化映像データを前記再生端末の復号部へ送るステップと、前記再生端末の復号部が、前記受信部から受け取ったナビゲーション符号化映像データの復号化を開始し、復号化したナビゲーション映像を前記再生端末の表示部へ送るステップと、前記再生端末の表示部が、前記復号部からナビゲーション映像を受け取り、ナビゲーション映像のストリーム再生を開始するステップとを有することを特徴とする。
【０００７】
（３）再生端末と、配信サーバとがネットワークを介して接続される映像配信システムにおける部分指定映像配信要求方法であって、前記再生端末の表示部が、ストリーム再生中のナビゲーション映像から全体または部分的に見たい領域を選択した注視領域情報を前記再生端末の再生要求部に送るステップと、前記再生端末の再生要求部が、前記表示部から受け取った注視領域情報を前記再生端末の再生制御部へ送るステップと、前記再生端末の再生制御部が、前記再生要求部から注視領域情報を受け取り、注視領域情報を前記再生端末の復号部へ送るステップと、前記再生端末の再生制御部が、前記再生要求部から注視領域情報を受け取り、前記配信サーバに対する、注視領域情報が記載されている拡張ＰＬＡＹメソッドの送信要求を前記再生端末の送信部へ送るステップと、前記再生端末の送信部が、前記再生制御部から受け取った拡張ＰＬＡＹメソッドを前記ネットワークを介してＲＴＳＰプロトコルで、前記配信サーバへ送信するステップと、前記配信サーバの受信部が、前記ネットワークを介して前記再生端末から拡張ＰＬＡＹメソッドを受け取り、当該受け取った拡張ＰＬＡＹメソッドを前記配信サーバの要求内容解析部へ送るステップと、前記配信サーバの要求内容解析部が、前記受信部から拡張ＰＬＡＹメソッドを受け取り、拡張ＰＬＡＹメソッドから符号化映像データ配信要求と判断し、前記配信サーバの再生データ保存部へ拡張ＰＬＡＹメソッドに記載されている情報と一緒に符号化映像データ配信要求を送るステップと、前記配信サーバの再生データ保存部が、前記要求内容解析部から符号化映像データ配信要求と拡張ＰＬＡＹメソッドに記載されている情報を受け取り、前記要求内容解析部から受け取った情報を元に指定された領域のメイン符号化映像データと、さらにナビゲーション符号化映像データを読み出し、さらに、１つの符号化映像データにして配信サーバ送信部へ送るステップと、前記配信サーバの送信部が、前記再生データ保存部から受け取った符号化映像データを前記ネットワークを介して前記再生端末へ送信するステップと、前記再生端末の受信部が、前記配信サーバから送信された符号化映像データを前記ネットワークを介して受け取り、当該受け取った符号化映像データを前記再生端末の復号部へ送るステップと、前記再生端末の復号部が、前記受信部から受け取った符号化映像データのナビゲーション符号化映像データと指定した領域のメイン符号化映像データの復号化を並列して開始し、復号化したナビゲーション映像と、復号化したメイン映像から注視領域情報「Ｘ，Ｙ，高さ、幅」の範囲を切り出し、前記再生端末の表示部へ送るテップと、前記再生端末の表示部が、前記復号部からナビゲーション映像と切り出した注視領域映像とを受け取り、ナビゲーション映像、切り出した注視領域映像をストリーム再生するステップとを有することを特徴とする。
【０００８】
（４）再生端末と、配信サーバとがネットワークを介して接続される映像配信システムにおける部分指定映像配信要求方法であって、ＲＴＳＰプロトコルのＰＬＡＹメソッドを拡張し、拡張した“Ｘ−ＶｉｅｗＩＤ：”の｛ビュー指定｝に選択した領域のメイン符号化映像データ情報、ナビゲーション符号化映像データ情報、メイン符号化映像データ識別情報、ナビゲーション符号化映像データ識別情報を記載し、選択した領域のメイン符号化映像データとナビゲーション符号化映像データの配信要求を前記再生端末から前記ネットワークを介して前記配信サーバへ要求することを特徴とする。
（５）再生端末と、配信サーバとがネットワークを介して接続される映像配信システムにおけるナビゲーション映像配信要求方法であって、ＲＴＳＰプロトコルのＰＬＡＹメソッドを拡張し、拡張した“Ｘ−ＶｉｅｗＩＤ：”の｛ビュー指定｝にナビゲーション符号化映像データ情報、メイン符号化映像データ識別情報、ナビゲーション符号化映像データ識別情報を記載し、ナビゲーション符号化映像データの配信要求を前記再生端末から前記ネットワークを介して前記配信サーバへ要求することを特徴とする。
（６）再生端末と、配信サーバとがネットワークを介して接続される映像配信システムにおける注視領域映像再生方法であって、前記再生端末が、前記配信サーバから受け取ったメイン符号化映像データを復号し、当該復号化したメイン映像から注視領域情報の「Ｘ，Ｙ，高さ、幅」に対応する部分を切り出して、切り出した注視領域映像を再生することを特徴とする。
（７）また、本発明は、前述の部分指定映像配信要求方法、ナビゲーション映像配信要求方法、および注視領域映像再生方法を実行する映像配信システムである。
（８）また、本発明は、前述の部分指定映像配信要求方法における再生端末の処理、ナビゲーション映像配信要求方法における再生端末の処理、および注視領域映像再生方法をコンピュータに実行させるためのプログラム。
【発明の効果】
【０００９】
本願において開示される発明のうち代表的なものによって得られる効果を簡単に説明すれば、下記の通りである。
本発明によれば、再生端末から要求のあった部分指定した映像を配信することが可能となる。
【図面の簡単な説明】
【００１０】
【図１】本発明の実施例の映像配信システムの概略構成を示すブロック図である。
【図２】本発明の実施例の再生端末の表示部に表示される表示内容を説明する図である。
【図３】本発明の実施例の注視領域映像を説明するための図である。
【図４−１】本発明の実施例の映像配信システムにおける、部分指定映像配信要求方法を実施するための処理手順を示すフローチャートである。
【図４−２】本発明の実施例の映像配信システムにおける、部分指定映像配信要求方法を実施するための処理手順を示すフローチャートである。
【図４−３】本発明の実施例の映像配信システムにおける、部分指定映像配信要求方法を実施するための処理手順を示すフローチャートである。
【図４−４】本発明の実施例の映像配信システムにおける、部分指定映像配信要求方法を実施するための処理手順を示すフローチャートである。
【図４−５】本発明の実施例の映像配信システムにおける、部分指定映像配信要求方法を実施するための処理手順を示すフローチャートである。
【図４−６】本発明の実施例の映像配信システムにおける、部分指定映像配信要求方法を実施するための処理手順を示すフローチャートである。
【発明を実施するための形態】
【００１１】
以下、図面を参照して本発明の実施例を詳細に説明する。
なお、実施例を説明するための全図において、同一機能を有するものは同一符号を付け、その繰り返しの説明は省略する。
図１は、本発明の実施例の映像配信システムの概略構成を示すブロック図である。本実施例の映像配信システムは、配信サーバ１０と、再生端末２０と、配信サーバ１０と再生端末２０とを接続するネットワーク３０とで構成される。配信サーバ１０は、受信部１１と、要求内容解析部１２と、再生データ保存部１３と、送信部１４とで構成される。
配信サーバ１０の受信部１１は、ネットワーク３０を介して、再生端末２０から要求を受信し、受信した要求を要求内容解析部１２に通知する。
要求内容解析部１２は、配信サーバ１０の受信部１１から受信データを受け取り、要求内容を解析し、再生データ保存部１３に何を読み出すかを通知する。または、配信サーバ１０の送信部１４に、再生端末２０からのストリーム配信情報を受信した旨の返信を通知する。
再生データ保存部１３は、要求内容解析部１２から要求を受け取り、要求内容解析部１２から受け取った要求を再生データ保存部１３から読み出し、配信サーバ１０の送信部１４に送る。
【００１２】
再生データ保存部１３には、少なくともＳＤＰ（Session Description Protocol）ファイル、再生に必要なファイル、符号化映像データが蓄積されている。なお、ＳＤＰファイルは、セッションの告知やセッションの招待などを必要とするマルチメディアセッションを開始するために、必要な情報を記述されたファイルである。
映像データには、映像全体から見たい領域を、全体または部分的に自由に選択するためのナビゲーション符号化映像データと、選択した領域を再生するためのメイン符号化映像データの２つがあり、これらは、１つの符号化映像データとして再生データ保存部１３に蓄積されている。メイン符号化映像データは、ナビゲーション符号化映像データより高い解像度の映像データである。
再生データ保存部１３は、ナビゲーション符号化映像データと配信要求された領域のメイン符号化映像データを読み出し、この２つの符号化映像データを１つにして、送信部１４に送る。
配信サーバ１０の送信部１４は、再生データ保存部１３から読み出したデータを受け取り、ネットワーク３０を介して再生端末２０へ配信する。
【００１３】
再生端末２０は、再生要求部２１と、再生制御部２２と、送信部２３と、受信部２４と、復号部２５と、表示部２６とで構成される。
ユーザが、再生要求部２１から、コンテンツＵＲＬを入力すると、再生要求部２１は、入力されたコンテンツＵＲＬを再生制御部２２へ送る。コンテンツＵＲＬは、ネットワーク上に存在する符号化映像データの場所を指している。
また、再生要求部２１は、表示部２６から注視領域情報（ユーザが、ナビゲーション映像の中から全体または部分的に選択した領域の情報）を受け取り、再生制御部２２へ送る。再生制御部２２は、再生要求部２１からの要求制御と、復号部２５と、送信部２３への要求制御を行う。
再生端末２０の送信部２３は、再生制御部２２からの要求を受け取り、配信サーバ１０へ要求を送信する。
再生端末２０の受信部２４は、配信サーバ１０からデータを受信し、受信したデータが符号化映像データの場合は復号部２５へ送り、それ以外は再生制御部２２へ送る。
復号部２５は、再生端末２０の受信部２４から符号化映像データを受け取り、受け取った符号化映像データのナビゲーション符号化映像データとメイン符号化映像データを並列して復号化し、復号化したナビゲーション映像と、復号化したメイン映像からＸ、Ｙ、高さ、幅の範囲を切り出し表示部へ送る。
表示部２６は、復号部２５から復号化したナビゲーション映像、切り出した注視領域映像を受け取り、ストリーム再生を行う。
また、ユーザが、表示部２６でストリーム再生中のナビゲーション映像から全体または部分的に見たい領域を選択すると、表示部２６は、この選択した注視領域情報を再生要求部２１へ送る。
【００１４】
図２は、本発明の実施例の再生端末２０の表示部２６に表示される表示内容を説明する図である。
再生端末２０の表示部２６には、ナビゲーション映像２６−１と、ユーザが、ナビゲーション映像の中から全体または部分的に選択した領域の映像である注視領域映像２６−２とが表示される。
図３は、本発明の実施例の注視領域映像２６−２を説明するための図である。
図３に示すように、ナビゲーション映像の解像度が２００×４００で、注視領域の、ナビゲーション映像２６−１の左上からの距離（Ｘ，Ｙ）、高さ、幅を、それぞれ２８０、８０、６０、１３０とした場合、メイン映像の解像度が２０００×４０００の場合には、注視領域の、メイン映像の左上からの距離（Ｘ，Ｙ）、高さ、幅は２８００、８００、６００、１３００となる。メイン映像は、ナビゲーション映像より解像度が高い。
注視領域映像２６−２の注視領域情報には、（１）と（２）の２つの情報がある。
【００１５】
（１）指定した領域の映像を配信するために必要な情報
ナビゲーション映像は等分割され、番号が付与されている。分割数、番号は、メイン映像と対応している。なお、分割数は、図３に示す１０である必要はない。また、分割した場所の識別は、番号である必要はない。
図３に示す例では、２，３，４，７，８，９が選択した領域であり、この番号に対応するメイン符号化映像データの配信要求とナビゲーション符号化映像データ全体の配信要求を拡張ＰＬＡＹメソッドで行う。
ＲＴＳＰプロトコルのＰＬＡＹメソッドに“Ｘ−ＶｉｅｗＩＤ：”｛ビュー指定（カンマ区切り）｝を拡張し、｛ビュー指定｝欄に、メイン符号化映像データＩＤ、ナビゲーション符号化映像データＩＤ、メイン符号化映像データ識別ＩＤ、ナビゲーション符号化映像データ識別ＩＤを記載する。
図３に示す例では、“Ｘ−ＶｉｅｗＩＤ：”｛２，３，４，７，８，９，１０００，１００，１０１｝の様にカンマで区切って記載し、配信サーバ１０へＲＴＳＰプロトコルで要求し、配信サーバ１０からは、２，３，４，７，８，９の領域に対応するメイン符号化映像データとナビゲーション符号化映像データ全体（１０００）を再生端末２０に配信する。
なお、｛  ｝内の２，３，４，７，８，９は選択した領域のメイン符号化映像データＩＤ、１０００はナビゲーション符号化映像データＩＤ、１００はメイン符号化映像データ識別ＩＤ、１０１はナビゲーション符号化映像データ識別ＩＤである。ここで、ナビゲーション符号化映像データＩＤ、メイン符号化映像データ識別ＩＤ、ナビゲーション符号化映像データ識別ＩＤは、１０００、１００、１０１である必要はなく、さらに、番号である必要もない。
【００１６】
（２）指定した領域を表示部２６に再生するために必要な情報
ナビゲーション映像２６−１の左上からの距離（Ｘ，Ｙ）、高さ、幅で示している範囲が注視領域である。図３に示す例では、再生端末２０は、２，３，４，７，８，９部分のメイン符号化映像データを受信・復号化し、復号化したメイン映像から、メイン映像の左上からの距離（２８００，８００）、高さ（６００）、幅（１３００）の範囲を切り出してストリーム再生する。
本発明で採用される拡張ＰＬＡＹメソッドを、表１に示す。
表１に示す拡張ＰＬＡＹメソッドは、ストリーミング配信制御の標準化技術であるＲＴＳＰプロトコルの映像配信要求のＰＬＡＹメソッドを拡張し、選択した領域（２，３，４，７，８，９）のメイン符号化映像データとナビゲーション符号化映像データ全体（１０００）を、再生端末２０からネットワーク３０を介して配信サーバ１０へ要求するためのものである。
表１の拡張した“Ｘ−ＶｉｅｗＩＤ：”｛ビュー指定｝に｛２，３，４，７，８，９，１０００，１００，１０１｝の様にカンマで区切って記載する。
【００１７】
【表１】
2011035687.tif 000003
【００１８】
図４−１〜図４−６は、本発明の実施例の映像配信システムにおける、部分指定映像配信要求方法を実施するための処理手順を示すフローチャートである。
ステップ４０１で、ユーザが、再生要求部２１にコンテンツＵＲＬを入力すると、再生要求部２１は、入力されたコンテンツＵＲＬを再生制御部２２に送る。
ステップ４０２で、再生制御部２２は、再生要求部２１から入力されたコンテンツＵＲＬを受け取り、受け取ったコンテンツＵＲＬの再生に必要なファイルの配信要求を再生端末２０の送信部２３へ送る。再生に必要なファイルは、メイン符号化映像データＩＤ、ナビゲーション符号化映像データＩＤ、メイン符号化映像データ識別ＩＤ、ナビゲーション符号化映像データ識別ＩＤの再生に必要な情報が記載されたテキストファイルである。
ステップ４０３で、再生端末２０の送信部２３は、再生に必要なファイル配信要求を受け取り、受け取った再生に必要なファイル配信要求をネットワーク３０を介して配信サーバ１０へ送信する。
【００１９】
ステップ４０４で、配信サーバ１０の受信部１１はネットワーク３０を介して再生端末２０からの要求を受信し、要求内容解析部１２へ送る。
ステップ４０５で、要求内容解析部１２は、配信サーバ１０の受信部１１から要求を受信し、受信した要求内容を解析し、コンテンツＵＲＬの再生に必要なファイル配信要求と判断し、要求内容解析部１２は、再生データ保存部１３にコンテンツＵＲＬの再生に必要なファイル配信要求を送る。
ステップ４０６で、再生データ保存部１３は、要求内容解析部１２から再生に必要なファイル配信要求を受け取り、要求されたコンテンツＵＲＬの再生に必要なファイルを読み出し、配信サーバ１０の送信部１４へ送信する。
ステップ４０７で、配信サーバ１０の送信部１４は、再生データ保存部１３からコンテンツＵＲＬの再生に必要なファイルを受け取り、受け取ったファイルをネットワーク３０を介して再生端末２０へ送信する。
【００２０】
ステップ４０８で、再生端末２０の受信部２４は、ネットワーク３０を介して配信サーバ１０からコンテンツＵＲＬの再生に必要なファイルを受信し、再生制御部２２へ送る。
ステップ４０９で、再生制御部２２は、再生端末２０の受信部２４から再生に必要なファイルを受け取る。
ステップ４１０で、再生制御部２２は、再生端末２０の受信部２４から再生に必要なファイルを受け取ると、ＲＴＳＰプロトコルのＤＥＳＣＲＩＢＥメソッドでコンテンツＵＲＬのコンテンツ情報が記載されているＳＤＰファイル配信要求を再生端末２０の送信部２３へ送る。
ステップ４１１で、再生端末２０の送信部２３は、再生制御部２２からＳＤＰファイル配信要求を受け取り、再生制御部２２から受け取ったＳＤＰファイル配信要求をＲＴＳＰプロトコルのＤＥＳＣＲＩＢＥメソッドでネットワーク３０を介して配信サーバ１０へ送信する。
【００２１】
ステップ４１２で、配信サーバ１０の受信部１１は、ネットワーク３０を介して再生端末２０から送信されたＳＤＰファイル配信要求を受信し、受け取ったＳＤＰファイル配信要求を要求内容解析部１２へ送る。
ステップ４１３で、要求内容解析部１２は、配信サーバ１０の受信部１１から要求内容を受け取り、要求内容解析部１２は、ＳＤＰファイル配信要求と判断し、再生データ保存部１３へＳＤＰファイル配信要求を送る。
ステップ４１４で、再生データ保存部１３は、配信サーバ１０の要求内容解析部１２からＳＤＰファイル配信要求を受け取り、再生データ保存部１３は、配信サーバ１０の要求内容解析部１２から受け取ったコンテンツＵＲＬに対応するＳＤＰファイルを読み出し、読み出したＳＤＰファイルを配信サーバ１０の送信部１４へ送る。
ステップ４１５で、配信サーバ１０の送信部１４は、再生データ保存部１３からＳＤＰファイルを受け取り、受け取ったＳＤＰファイルをネットワーク３０を介してＲＴＳＰプロトコルで再生端末２０へ送信する。
【００２２】
ステップ４１６で、再生端末２０の受信部２４は、配信サーバ１０の送信部１４から送信されたＳＤＰファイルをネットワーク３０を介して受け取り、再生端末２０の受信部２４は、ＳＤＰファイルを再生制御部２２へ送る。
ステップ４１７で、再生制御部２２は、再生端末２０の受信部２４からＳＤＰファイルを受け取ると、再生制御部２２は、再生端末２０が使用するプロトコル、ポート番号のストリーム配信情報が記載されているＳＥＴＵＰメソッドをＲＴＳＰプロトコルで再生端末２０から配信サーバ１０への送信要求を再生端末２０の送信部２３へ送る。
ステップ４１８で、再生端末２０の送信部２３は、再生制御部２２からＳＥＴＵＰメソッドをＲＴＳＰプロトコルで配信サーバ１０への送信要求を受け取り、再生端末２０の送信部２３はネットワーク３０を介してＳＥＴＵＰメソッドをＲＴＳＰプロトコルで配信サーバ１０へ送信する。
【００２３】
ステップ４１９で、配信サーバ１０の受信部１１は、ネットワーク３０を介して再生端末２０から送信されたＳＥＴＵＰメソッドを受信し、配信サーバ１０の受信部１１は、受け取ったＳＥＴＵＰメソッドを要求内容解析部１２へ送る。
ステップ４２０で、要求内容解析部１２は、配信サーバ１０の受信部１１から要求内容を受け取り、要求内容解析部１２は、ＳＥＴＵＰメソッドと判断し、配信サーバ１０の送信部１４へＳＥＴＵＰメソッド受け取り通知を送る。
ステップ４２１で、配信サーバ１０の送信部１４は、要求内容解析部１２からＳＥＴＵＰメソッド受け取り通知を受け取り、配信サーバ１０の送信部１４から、ＳＥＴＵＰメソッド受け取り通知をネットワーク３０を介してＲＴＳＰプロトコルで再生端末２０へ送信する。
【００２４】
ステップ４２２で、再生端末２０の受信部２４は、ネットワーク３０を介して配信サーバ１０の送信部１４から送信されたＳＥＴＵＰメソッド受け取り通知を受け取り、再生端末２０の受信部２４は、ＳＥＴＵＰメソッド受け取り通知を再生制御部２２へ送る。
ステップ４２３で、再生制御部２２は、再生端末２０の受信部２４からＳＥＴＵＰメソッド受け取り通知を受け取ると、拡張ＰＬＡＹメソッドの“Ｘ−ＶｉｅｗＩＤ：”｛ビュー指定｝に｛１０００，１００，１０１｝を記載し、この拡張ＰＬＡＹメソッドを配信サーバ１０へ送る要求を再生端末２０の送信部２３へ出す。この例は、ナビゲーション映像のみで再生開始される例であり、ここで、１０００はナビゲーション符号化映像データＩＤ、１００はメイン符号化映像データ識別ＩＤ、１０１はナビゲーション符号化映像データ識別ＩＤである。なお、再生開始から注視領域映像とナビゲーション映像を指定する事も可能である。
ステップ４２４で、再生端末２０の送信部２３は、配信サーバ１０へネットワーク３０を介して拡張ＰＬＡＹメソッドをＲＴＳＰプロトコルで送信する。
【００２５】
ステップ４２５で、配信サーバ１０の受信部１１は、ネットワーク３０を介して再生端末２０から拡張ＰＬＡＹメソッドを受信し、配信サーバ１０の受信部１１は、受け取った拡張ＰＬＡＹメソッドを要求内容解析部１２へ送る。
ステップ４２６で、要求内容解析部１２は、配信サーバ１０の受信部１１から拡張ＰＬＡＹメソッドを受け取り、要求内容解析部１２は、拡張ＰＬＡＹメソッドから符号化映像データ配信要求と判断し、再生データ保存部１３へ拡張ＰＬＡＹメソッドに記載されている情報と一緒に符号化映像データ配信要求を送る。
ステップ４２７で、再生データ保存部１３は、要求内容解析部１２から符号化映像データ配信要求と拡張ＰＬＡＹメソッドに記載されている情報を受け取り、再生データ保存部１３は、要求内容解析部１２から受け取った情報を元にナビゲーション符号化映像データを読み出し、ナビゲーション符号化映像データを配信サーバ１０の送信部１４へ送る。
ステップ４２８で、配信サーバ１０の送信部１４は、再生データ保存部１３から送られたナビゲーション符号化映像データを受け取り、受け取ったナビゲーション符号化映像データをネットワーク３０を介して再生端末２０へ送信する。
【００２６】
ステップ４２９で、再生端末２０の受信部２４は、配信サーバ１０の送信部１４から送信されたナビゲーション符号化映像データをネットワーク３０を介して受け取り、再生端末２０の受信部２４は、復号部２５へナビゲーション符号化映像データを送る。
ステップ４３０で、復号部２５は、再生端末２０の受信部２４からナビゲーション符号化映像データを受け取り、受け取ったナビゲーション符号化映像データの復号化を開始し、復号化したナビゲーション映像を表示部２６へ送る。
ステップ４３１で、再生端末２０の表示部２６は、再生端末２０の復号部２５からナビゲーション映像を受け取り、ストリーム再生を開始する。
ステップ４３２で、ユーザが、表示部２６のストリーム再生中のナビゲーション映像から、全体または部分的に見たい領域を選択すると、表示部２６は、この選択した注視領域情報の２８０，８０，６０，１３０を再生要求部２１に送る。２８０，８０，６０，１３０は、注視領域の、ナビゲーション映像２６−１の左上からの距離（Ｘ，Ｙ）、高さ、幅を表す。
ステップ４３３で、再生要求部２１は、表示部２６から距離（Ｘ，Ｙ）、高さ、幅の注視領域情報を受け取り、受け取った注視領域情報を再生制御部２２へ送る。
ステップ４３４で、再生制御部２２は、再生要求部２１から距離（Ｘ，Ｙ）、高さ、幅の注視領域情報を受け取り、再生制御部２２は、受け取った距離（Ｘ，Ｙ）、高さ、幅の注視領域情報とステップ４０９で受け取った再生に必要なファイルを参照し、メイン符号化映像データＩＤ、ナビゲーション符号化映像データＩＤ、メイン符号化映像データ識別ＩＤ、ナビゲーション符号化映像データ識別ＩＤの対応付けを行い、拡張ＰＬＡＹメソッドの“Ｘ−ＶｉｅｗＩＤ：”に{２，３，４，７，８，９，１０００，１００，１０１}を記載し、この拡張ＰＬＡＹメソッドの配信サーバ１０への送信要求を再生端末２０の送信部２３へ送る。また、再生制御部２２は、距離（Ｘ，Ｙ）、高さ、幅の注視領域情報の２８０，８０，６０，１３０を復号部２５へ送る。
ステップ４３５で、再生端末２０の送信部２３は、配信サーバ１０へネットワーク３０を介して、ＲＴＳＰプロトコルで選択した領域の配信要求である拡張ＰＬＡＹメソッドを送信する。
【００２７】
ステップ４３６で、配信サーバ１０の受信部１１は、ネットワーク３０を介して再生端末２０から拡張ＰＬＡＹメソッドを受信し、配信サーバ１０の受信部１１は、受け取った拡張ＰＬＡＹメソッドを要求内容解析部１２へ送る。
ステップ４３７で、要求内容解析部１２は、配信サーバ１０の受信部１１から拡張ＰＬＡＹメソッドを受け取り、要求内容解析部１２は、拡張ＰＬＡＹメソッドから符号化映像データ配信要求と判断し、再生データ保存部１３へ拡張ＰＬＡＹメソッドに記載されている情報と一緒に符号化映像データ配信要求を送る。
ステップ４３８で、再生データ保存部１３は、要求内容解析部１２から符号化映像データ配信要求と拡張ＰＬＡＹメソッドに記載されている情報を受け取り、再生データ保存部１３は、要求内容解析部１２から受け取った情報を元に指定された領域のメイン符号化映像データと、さらにナビゲーション符号化映像データを読み出し、１つの符号化映像データにして配信サーバ１０の送信部１４へ送る。
ステップ４３９で、配信サーバ１０の送信部１４は、再生データ保存部１３から送られた符号化映像データを受け取り、受け取った符号化映像データをネットワーク３０を介して再生端末２０へ送信する。
【００２８】
ステップ４４０で、再生端末２０の受信部２４は、配信サーバ１０の送信部１４から送信された符号化映像データをネットワーク３０を介して受け取り、復号部２５へ符号化映像データを送る。
ステップ４４１で、復号部２５は、再生端末２０の受信部２４から符号化映像データを受け取り、受け取った符号化映像データのナビゲーション符号化映像データと指定した領域のメイン符号化映像データの復号化を並列して開始し、復号化したナビゲーション映像と、復号化したメイン映像から、ステップ４３４で再生制御部２２から受け取った注視領域情報２８０，８０，６０，１３０に対応する範囲を切り出し、表示部２６へ送る。
ステップ４４２で、再生端末２０の表示部２６は、再生端末２０の復号部２５からナビゲーション映像、切り出した注視領域映像を受け取り、ストリーム再生を開始する。
【００２９】
ステップ４４３で、ユーザが、再生要求部２１に再生停止を入力すると、再生要求部２１は、入力された再生停止を再生制御部２２に送る。
ステップ４４４で、再生制御部２２は、再生要求部２１から再生停止を受け取ると、復号部２５へ再生停止を送る。また、再生端末２０の送信部２３に配信サーバ１０へ符号化映像データ配信停止の送信要求を送る。
ステップ４４５で、復号部２５は、再生停止を受け取ると復号化を停止し、さらに、復号部２５は表示部２６に再生停止を送る。
ステップ４４６で、表示部２６は、復号部２５から再生停止を受け取るとストリーム再生を停止する。
ステップ４４７で、再生端末２０の送信部２３は、配信サーバ１０へ符号化映像データ配信停止を送信する。
ステップ４４８で、再生端末２０は、符号化映像データ受信と再生を停止する。
【００３０】
上説明したように、本実施例では、ストリーミング配信制御の標準化技術であるＲＴＳＰ（Real Time Streaming Protocol）プロトコルの配信（再生）要求のＰＬＡＹメソッドを拡張して指定した領域の映像配信が可能であるため、別のプロトコルを準備することなく指定した領域の映像配信が可能となる。
なお、前述の説明において、再生端末２０は、コンピュータに実行させることも可能であり、その場合に、本発明の部分指定映像配信要求方法、ナビゲーション映像配信要求方法、注視領域映像再生方法は、コンピュータ内のハードディスクなどに格納されるプログラムを、コンピュータが実行することにより行われる。このプログラムは、ＣＤ−ＲＯＭ、あるいは、ネットワークを介したダウンロードにより供給される。
以上、本発明者によってなされた発明を、前記実施例に基づき具体的に説明したが、本発明は、前記実施例に限定されるものではなく、その要旨を逸脱しない範囲において種々変更可能であることは勿論である。
【符号の説明】
【００３１】
１０  配信サーバ
１１，２４  受信部
１２  要求内容解析部
１３  再生データ保存部
１４，２３  送信部
２０  再生端末
２１  再生要求部
２２  再生制御部
２５  復号部
２６  表示部
２６−１  ナビゲーション映像
２６−２  注視領域映像
３０  ネットワーク
【図１】
2011035687.tif 000004
【図２】
2011035687.tif 000005
【図３】
2011035687.tif 000006
【図４−１】
2011035687.tif 000007
【図４−２】
2011035687.tif 000008
【図４−３】
2011035687.tif 000009
【図４−４】
2011035687.tif 000010
【図４−５】
2011035687.tif 000011
【図４−６】
2011035687.tif 000012